(57)【要約】【課題】  迷惑メールや迷惑電話あるいは間違い電話などによって着信報知になるのを防止できるようにする。【解決手段】  制御部１３は、着信に応じてその着信情報のアドレス情報が加入者情報記憶部１４に記憶されている場合には、スピーカ９によるリンガ音、バイブレータ１０による振動、若しくはＬＥＤ８１による発光、又はこれらの任意の組合せによって着信を報知し、その着信情報のアドレス情報が加入者情報記憶部１４に記憶されていない場合には、音、振動、および発光による着信の報知を禁止する。【選択図】  図１
2005072943.tif 000002
【特許請求の範囲】
【請求項１】
音、振動若しくは発光又はこれらの組合せによって着信を報知する着信報知手段と、
着信に応じてその着信情報を記憶する第１の記憶手段と、
相手先のアドレス情報を記憶する第２の記憶手段と、
着信に応じて前記第１の記憶手段に記憶された着信情報のアドレス情報が前記第２の記憶手段に記憶されているか否かを検索するアドレス検索手段と、
前記アドレス検索手段の検索結果において着信情報のアドレス情報が前記第２の記憶手段に記憶されている場合には前記着信報知手段によって着信を報知させ、前記検索結果において着信情報のアドレス情報が前記第２の記憶手段に記憶されていない場合には前記着信報知手段による着信の報知を禁止する報知制御手段と、
を備えた通信端末装置。
【請求項２】
前記報知制御手段は、前記検索結果において着信情報のアドレス情報が前記第２の記憶手段に記憶されていない場合には、所定の表示手段の画面によって着信を報知させることを特徴とする請求項１記載の通信端末装置。
【請求項３】
着信に応じてその着信情報を第１の記憶手段に記憶する第１のステップと、
着信に応じて前記第１の記憶手段に記憶された着信情報のアドレス情報が相手先のアドレス情報を記憶する第２の記憶手段に記憶されているか否かを検索する第２のステップと、
前記第２のステップの検索結果において着信情報のアドレス情報が前記第２の記憶手段に記憶されている場合には音、振動若しくは発光又はこれらの任意の組合せによって着信を報知する着信報知手段によって着信を報知させ、前記検索結果において着信情報のアドレス情報が前記第２の記憶手段に記憶されていない場合には前記着信報知手段による着信の報知を禁止する第３のステップと、
を実行する通信情報処理のプログラム。
【請求項４】
前記第３のステップは、前記検索結果において着信情報のアドレス情報が前記第２の記憶手段に記憶されていない場合には、所定の表示手段の画面によって着信を報知させることを特徴とする請求項３記載の通信情報処理のプログラム。
【発明の詳細な説明】
【技術分野】
【０００１】
本発明は、通信端末装置および通信情報処理のプログラムに関し、特に、着信報知を制御する通信端末装置および通信情報処理のプログラムに関するものである。
【背景技術】
【０００２】
近年、携帯電話などの通信端末装置においては、電話やメールの着信を報知する手段として、スピーカからのリンガ音や着メロだけでなく、バイブレータの振動による着信報知、およびＬＥＤの発光などによる着信報知を行うことによって、着信に対するユーザの注意を喚起する製品が広く普及している。一方、携帯電話を利用して通称「ワンギリ」と呼ばれている悪質な商法が横行して社会問題となっている。この商法は、業者が任意の携帯電話に対して一瞬だけ発呼して、その携帯電話のユーザが着信を受ける前に切断する無料の発信を行い、携帯電話のユーザがその着信を不審に思って、着信ＢＯＸに保存されているその電話番号に電話をかけ直すと、法外な情報料金を取られるというものである。そのほかに、いわゆるストーカー等からの頻繁な嫌がらせ電話やメール、あるいは、いたずら電話に迷惑しているユーザも少なくない。
【０００３】
このような悪質な商法のメールやその他の迷惑メールおよび電話に対する防止策として、いくつかの提案がなされている。例えば、ある提案の電話機の構成においては、着呼を検出し、電話線をダミーロードで終端することにより保留状態とし、さらに発呼側電話機から送出されるＤＴＭＦ音（プッシュホン）又はＤＰ（ダイアルパルス）を識別して、予め設定された符号と一致した場合にのみ呼び出し音を発生する。また、この場合において、発呼側の電話機には課金がなされる。これにより、呼び出し音終了後に続いて一定の符号をＤＴＭＦ音又はＤＰで入力することを知らない相手からのいたずら電話を防止でき、相手に経済的な損失を与える。（特許文献１参照）
【０００４】
また、別の提案のいたずら電話やストーカ等からの迷惑電話の完全遮断方法の構成においては、着信と同時にその相手が、メモリ内に登録されているかどうかの判断をし、登録内の人からであれば安心して、電話に出られる。そうでなければ、メモリ外の着信拒否の設定をしているかどうかの判断をして、設定をしていれば着信拒否と判断され、その着信を無効とし電話が一方的に切れる。設定をしていなければその電話を有効とし、通話となる。これにより、いたずら電話、ストーカー等からの嫌がらせ電話を着信無効にする。（特許文献２参照）
【０００５】
さらに、別の提案のメール端末装置および携帯電話機の構成においては、着信したメールのメールアドレス対応に未読メール件数と比較する設定値を設定しておき、あるいは受信した電話の電話番号対応に未通話件数と比較する設定値を設定しておき、この設定値に未読件数（未通話件数）が達したとき当該メールアドレスからのメールを自動的に拒否し、あるいは当該電話番号から着信を拒否する。これにより、迷惑メールや迷惑電話を、メールアドレスや電話番号を手入力で設定することなく着信拒否する。（特許文献３参照）
【特許文献１】特開平６−１０４９７５号公報
【特許文献１】特開２００３−８７３５号公報
【特許文献１】特開２００３−８５１０１号公報
【発明の開示】
【発明が解決しようとする課題】
【０００６】
しかしながら、上記従来の各特許文献に記載された提案においては、迷惑メールや迷惑電話のように着信を拒否する場合でも着信報知がなされるので、迷惑メールや迷惑電話の着信報知によって神経が乱されて不愉快な感情を抱く結果となるという課題があった。
本発明は、上記従来の課題を解決するためのものであり、迷惑メールや迷惑電話あるいは間違い電話などによって着信報知になるのを防止する通信端末装置および通信情報処理のプログラムを提供することを目的とする。
【課題を解決するための手段】
【０００７】
請求項１記載の通信端末装置の発明は、音、振動若しくは発光又はこれらの組合せによって着信を報知する着信報知手段（実施形態においては、図１のスピーカ９、バイブレータ１０、および背面表示部８のＬＥＤ８１に相当する）と、着信に応じてその着信情報を記憶する第１の記憶手段（実施形態においては、図１のメモリ１６に相当する）と、相手先のアドレス情報を記憶する第２の記憶手段（実施形態においては、図１の加入者情報記憶部１４に相当する）と、着信に応じて第１の記憶手段に記憶された着信情報のアドレス情報が第２の記憶手段に記憶されているか否かを検索するアドレス検索手段（実施形態においては、図１の制御部１３に相当する）と、アドレス検索手段の検索結果において着信情報のアドレス情報が第２の記憶手段に記憶されている場合には着信報知手段によって着信を報知させ、検索結果において着信情報のアドレス情報が第２の記憶手段に記憶されていない場合には着信報知手段による着信の報知を禁止する報知制御手段と（実施形態においては、図１の制御部１３に相当する）とを備えた構成になっている。
【０００８】
請求項１の発明において、請求項２に記載したように、報知制御手段は、検索結果において着信情報のアドレス情報が第２の記憶手段に記憶されていない場合には所定の表示手段（実施形態においては、図１の表示部４に相当する）の画面によって着信を報知させるような構成にしてもよい。
【０００９】
請求項３に記載の通信情報処理のプログラムは、着信に応じてその着信情報を第１の記憶手段（実施形態においては、図１のメモリ１６に相当する）に記憶する第１のステップと、着信に応じて第１の記憶手段に記憶された着信情報のアドレス情報が相手先のアドレス情報を記憶する第２の記憶手段（実施形態においては、図１の加入者情報記憶部１４に相当する）に記憶されているか否かを検索する第２のステップと、第２のステップの検索結果において着信情報のアドレス情報が第２の記憶手段に記憶されている場合には音、振動若しくは発光又はこれらの任意の組合せによって着信を報知する着信報知手段（実施形態においては、図１のスピーカ９、バイブレータ１０、および背面表示部８のＬＥＤ８１に相当する）によって着信を報知させ、検索結果において着信情報のアドレス情報が第２の記憶手段に記憶されていない場合には着信報知手段による着信の報知を禁止する第３のステップとを実行する。この場合において、第１のステップないし第５のステップは、実施形態においては、図１の制御部１３の処理に相当する。
【００１０】
請求項３の発明において、請求項４に記載したように、第３のステップは、検索結果において着信情報のアドレス情報が第２の記憶手段に記憶されていない場合には所定の表示手段（実施形態においては、図１の表示部４に相当する）の画面によって着信を報知させるような構成にしてもよい。
【発明の効果】
【００１１】
本発明の通信端末装置および通信情報処理のプログラムは、迷惑メールや迷惑電話あるいは間違い電話などによって着信報知になるのを防止できるという効果が得られる。
【発明を実施するための最良の形態】
【００１２】
以下、本発明による通信端末装置の実施形態について、携帯電話を例に採って図を参照して説明する。
図１は、実施形態における携帯電話の構成を示すブロック図である。まず、機構的な構成について説明する。携帯電話１の本体ケース（図示せず）には、送受信のアンテナ２、音声発生用のスピーカ３、カラー液晶などからなる表示部４、スイッチ入力部５、音声入力用のマイク６、着脱自在な記憶媒体でデータの読み出しおよび書き込みが可能なメモリカード７、発光で着信を通知する背面表示部８、リンガ音で着信を通知するスピーカ９が設けられている。
【００１３】
スイッチ入力部５には、ダイヤルスイッチと兼用の文字入力スイッチ、クリアスイッチ、カーソルスイッチ、画面において選択されたアイコン画像を決定する決定スイッチ、発信スイッチなど（いずれも図示せず）のほかに、オフフックスイッチ５１およびオンフックスイッチ５２が設けられている。また、背面表示部８は、透明又は半透明の部材で構成され、着信に応じて点滅するＬＥＤ８１を内蔵している。また、振動によって着信を通知するバイブレータ１０が本体ケースに内蔵されている。
【００１４】
次に、電気的な構成について説明する。無線送受信部１１は、アンテナ２を介して、変調された音声やデータを送信又は受信する。無線信号処理部１２は、無線送受信部１１によって受信された音声やデータを復調し、無線送受信部１１によって送信される音声やデータを変調する。制御部１３は、システムバスを介してコマンドおよびデータの授受を行ってこの装置全体を制御する。また、内部にタイマ１３１を備えている。
【００１５】
加入者情報記憶部１４は、アドレス帳エリア、着信履歴エリア、発信履歴エリアなどで構成されている。システムＲＯＭ１５は、制御部１３によって実行される通信制御処理のプログラム、合成音声データ、種々の初期データなどを記憶している。メモリ１６は、制御部１３によって処理されるデータを一時的に記憶するワークエリアであり、各種のレジスタやフラグのエリアが設けられている。
【００１６】
音声信号処理部１７は、通話中の音声信号や合成音声データの音声信号をディジタルからアナログに変換してスピーカ３に与えて発音させるとともに、マイク６からの音声信号をアナログからディジタルに変換して制御部１３に入力する。ドライバ１８は、背面キー８のＬＥＤ８１、スピーカ９、およびバイブレータ１０を駆動する。ドライバ１９は、表示部４を駆動する。ドライバ２０は、メモリカード７を駆動する。
【００１７】
次に、図１の構成による実施形態の動作について、図２ないし図６に示す制御部１３の動作フローチャートを参照して説明する。
図２において、所定のイニシャライズ（ステップＳ１）の後、待受画像に基づく待受画面を表示する（ステップＳ２）。次に、オフフック操作がされたか否かを判別する（ステップＳ３）。オフフック操作がされたときは、入力番号の画面を表示し（ステップＳ４）、番号が入力されたときは、その入力された番号をメモリ１６にストアし、表示部４に表示するなどの番号入力処理を行う（ステップＳ５）。次に、発信スイッチがオンされたときは、ストアした入力番号を送信する（ステップＳ６）。
【００１８】
次に、呼出報知を行って（ステップＳ７）、回線接続が確立したか否かを判別する（ステップＳ８）。回線接続が確立したときは通話処理に遷移し（ステップＳ９）、相手先のユーザとの通話が行われる。その後は、オンフック操作がされたか否かを判別し（ステップＳ１０）、オンフック操作がなされたときは回線切断などの終話処理回を行って（ステップＳ１１）、ステップＳ３に移行して、オフフック操作がされたか否かを判別する。オフフック操作がされない場合には、図３のフローチャートにおいて、電話の着信を検知したか否かを判別する（ステップＳ１２）。
【００１９】
電話の着信を検知したときは、着信履歴にストアする（ステップＳ１３）。次に、アドレス帳を検索して（ステップＳ１４）、アドレス内に着信の電話番号と同じ電話番号のデータがあるか否かを判別する（ステップＳ１５）。同じデータがある場合にはアドレス帳に登録されている知人からの電話であるので、スピーカ９のリンガ音による報知、バイブレータ１０の振動による報知、若しくはＬＥＤ８１の発光による報知、又はこれらの任意の組み合わせによって着信報知を行う（ステップＳ１６）。そして、オフフック操作がされたか否かを判別し（ステップＳ１７）、オフフック操作がされたときは通話処理に遷移する（ステップＳ１８）。通話処理においては、オンフック操作がされたか否かを判別し（ステップＳ１９）、オンフック操作がされたときは終話処理を行う（ステップＳ２０）。
【００２０】
ステップＳ１７においてオフフック操作がされない場合、例えば、ユーザが電話に出ることができないか、又は、ユーザが着信に気づかない場合などには、着信が停止したか否かを判別する（ステップＳ２１）。発呼側がオンフック操作をして着信が停止したときは、待受画像に「着信あり」を追加して表示する（ステップＳ２２）。一方、ステップＳ１５において、アドレス内に着信の電話番号のデータがない場合には、待受画像に「不明着信あり」を追加して表示する（ステップＳ２３）。
ステップＳ２０において終話処理を行った後、又は、ステップＳ２２において「着信あり」を追加表示した後、若しくは、ステップＳ２３において「不明着信あり」を追加表示した後は、図２のフローチャートにおけるステップＳ２に移行して、再び待受画像に基づく待受画面を表示する。
【００２１】
図３のフローチャートのステップＳ１２において、電話の着信検知がない場合には、図４のフローチャートにおいて、メールスイッチがオンされたか否かを判別する（ステップＳ２４）。このスイッチがオンされたときは、メールリストを表示して（ステップＳ２５）、１つのリスト（例えば、先頭のリスト）をフォーカス表示する（ステップＳ２６）。すなわち、そのリストの表示態様（例えば、表示色など）を変更する。次に、カーソルスイッチがオンされたか否かを判別し（ステップＳ２７）、このスイッチがオンされたときは、フォーカス位置を移動する（ステップＳ２８）。そして、決定スイッチがオンされたか否かを判別する（ステップＳ２９）。このスイッチがオンでない場合には、クリアスイッチがオンされたか否かを判別する（ステップＳ３０）。このスイッチがオンされたときは、図２のステップＳ２に移行して、再び待受画像に基づく待受画面を表示する。このスイッチがオンでない場合には、ステップＳ２７に移行して、カーソルスイッチがオンされたか否かを判別する。
【００２２】
ステップＳ２９において決定スイッチがオンされたときは、フォーカス位置が新規作成であるか否かを判別する（ステップＳ３１）。新規作成である場合には新規作成処理を行う（ステップＳ３２）。そして、送信スイッチがオンされたか否かを判別し（ステップＳ３３）、このスイッチがオンされたときはメール送信を行う（ステップＳ３４）。ステップＳ３１においてフォーカス位置が新規作成でない場合には、フォーカス位置が受信ＢＯＸであるか否かを判別する（ステップＳ３５）。受信ＢＯＸである場合には、待受画像から「メール着信あり」を消去して（ステップＳ３６）、受信ＢＯＸ処理を行う（ステップＳ３７）。ステップＳ３５において、フォーカス位置が受信ＢＯＸでない場合には、フォーカス位置に対応した処理を行う（ステップＳ３８）。
ステップＳ３４においてメール送信を行った後、ステップＳ３７において受信ＢＯＸ処理を行った後、又はステップＳ３８においてフォーカス位置に対応する処理を行った後は、ステップＳ２５に移行して、再びメールリストを表示する。
【００２３】
ステップＳ２４においてメールスイッチがオンでない場合には、図５のフローチャートにおいて、メール着信を検知したか否かを判別する（ステップＳ３９）。メール着信を検知したときは、その着信メールを受信ＢＯＸにストアして（ステップＳ４０）、アドレス帳を検索する（ステップＳ４１）。そして、アドレス帳に着信メールのメールアドレスと同じメールアドレスがあるか否かを判別する（ステップＳ４２）。同じメールアドレスがある場合には、スピーカ９のリンガ音による報知、バイブレータ１０の振動による報知、若しくはＬＥＤ８１の発光による報知、又はこれらの任意の組み合わせによって着信報知を行って（ステップＳ４３）、待受画像に「メール着信あり」を追加して表示する（ステップＳ４４）。一方、アドレス帳に着信メールのメールアドレスと同じメールアドレスがない場合には、待受画像に「不明メール着信あり」を追加して表示する（ステップＳ４５）。「メール着信あり」又は「不明メール着信あり」を追加して表示した後は、図２のステップＳ２に移行して、再び待受画面を表示する。
【００２４】
図５のステップＳ３９においてメール着信を検知しない場合には、図６のフローチャートにおいて、メニュースイッチがオンされたか否かを判別する（ステップＳ４６）。このスイッチがオンされたときは、メニューリストを表示して（ステップＳ４７）、１つのメニュー（例えば、先頭のメニュー）をフォーカス表示する（ステップＳ４８）。次に、カーソルスイッチがオンされたか否かを判別し（ステップＳ４９）、このスイッチがオンされたときは、フォーカス位置を移動する（ステップＳ５０）。そして、決定スイッチがオンされたか否かを判別する（ステップＳ５１）。このスイッチがオンでない場合には、クリアスイッチがオンされたか否かを判別する（ステップＳ５２）。このスイッチがオンされたときは、図２のステップＳ２に移行して、再び待受画像に基づく待受画面を表示する。このスイッチがオンでない場合には、ステップＳ４９に移行して、カーソルスイッチがオンされたか否かを判別する。
【００２５】
ステップＳ５１において決定スイッチがオンされたときは、フォーカス位置が受信履歴であるか否かを判別する（ステップＳ５３）。受信履歴である場合には待受画像から「着信あり」を消去して（ステップＳ５４）。受信履歴処理を行う（ステップＳ５５）。フォーカス位置が受信履歴でない場合には、フォーカス位置に対応した処理を行う（ステップＳ３８）。
ステップＳ５において受信履歴処理を行った後、又はステップＳ５６においてフォーカス位置に対応した処理を行った後は、ステップＳ４７に移行して、再びメニューリストを表示する。
【００２６】
以上のように、この実施形態によれば、制御部１３は、着信に応じてその着信情報のアドレス情報が加入者情報記憶部１４に記憶されている場合には、スピーカ９によるリンガ音、バイブレータ１０による振動、若しくはＬＥＤ８１による発光、又はこれらの任意の組合せによって着信を報知し、その着信情報のアドレス情報が加入者情報記憶部１４に記憶されていない場合には、音、振動、および発光による着信の報知を禁止する。したがって、迷惑メールや迷惑電話あるいは間違い電話などによって着信報知になるのを防止できる通信端末装置が得られる。
【００２７】
また、上記実施形態において、制御部１３は、着信情報のアドレス情報が加入者情報記憶部１４に記憶されていない場合には、表示部４の画面によって着信を報知させる。したがって、迷惑メールや迷惑電話あるいは間違い電話ではないが、加入者情報記憶部１４に記憶されていない相手先、例えば初めて電話やメール送信を行った知人からの着信に対しては、後で電話をかけ直したり、メールの返信を行うことができる。
【００２８】
なお、上記実施形態においては、システムＲＯＭ１５にあらかじめ記憶されている通信情報処理のプログラムを制御部１３が実行する装置の発明について説明したが、着脱自在のメモリカード７から読み込まれた通信情報処理のプログラム、又は、無線送受信部１１によってネットワークを介して外部のサーバーなどからダウンロードされた信情報処理のプログラムを書き込み可能な不揮発性メモリなどで構成されたシステムＲＯＭにインストールし、その通信情報処理のプログラムを制御部１３が実行するような構成も可能である。この場合には、プログラムの発明を実現する。
【００２９】
すなわち、そのプログラムは、着信に応じてその着信情報を第１の記憶手段に記憶する第１のステップと、着信に応じて第１の記憶手段に記憶された着信情報のアドレス情報が相手先のアドレス情報を記憶する第２の記憶手段に記憶されているか否かを検索する第２のステップと、第２のステップの検索結果において着信情報のアドレス情報が第２の記憶手段に記憶されている場合には音、振動若しくは発光又はこれらの任意の組合せによって着信を報知する着信報知手段によって着信を報知させ、検索結果において着信情報のアドレス情報が第２の記憶手段に記憶されていない場合には着信報知手段による着信の報知を禁止する第３のステップとを実行する。
また、このプログラムにおいて、第３のステップは、前記検索結果において着信情報のアドレス情報が前記第２の記憶手段に記憶されていない場合には所定の表示手段の画面によって着信を報知させる。
【図面の簡単な説明】
【００３０】
【図１】本発明の各実施例における携帯電話の構成を示すブロック図。
【図２】本発明の実施形態における制御部の動作を示すメインルーチンのフローチャート。
【図３】図２に続くメインルーチンのフローチャート。
【図４】図３に続くメインルーチンのフローチャート。
【図５】図４に続くメインルーチンのフローチャート。
【図６】図５に続くメインルーチンのフローチャート。
【符号の説明】
【００３１】
１  携帯電話
２  アンテナ
３  音声発生用スピーカ
４  表示部
５  キー入力部
６  マイク
７  メモリカード
８  背面表示部
９  着信通知用スピーカ
１０  バイブレータ
１１  無線送受信部
１２  無線信号処理部
１３  制御部
１４  加入者情報記憶部
１５  システムＲＯＭ
１６  メモリ
１７  音声信号処理部
１８  着信報知用ドライバ
１９  表示用ドライバ
２０  メモリカード用ドライバ
５１  オフフックスイッチ
５２  オンフックスイッチ
８１  着信報知用ＬＥＤ
１３１  タイマ
【図１】
2005072943.tif 000003
【図２】
2005072943.tif 000004
【図３】
2005072943.tif 000005
【図４】
2005072943.tif 000006
【図５】
2005072943.tif 000007
【図６】
2005072943.tif 000008